(57)【要約】【課題】配信通知サービスのメールの確認や削除の作業が容易な情報処理装置を提供する。【解決手段】受信したメールがメッセージ、音楽、画像等を含む通常のメールであれば、この通常のメールをメッセージフォルダ５ａ、５ｂに格納し、また受信したメールがサーバ１０（もしくはプロバイダー）からの配信通知サービスのメールであれば、この配信通知サービスのメールを配信通知フォルダ５ｃに格納しており、それらのフォルダ別に、メールの表示を行ったり、メールの削除もしくは一括削除を行うことができる。このため、配信通知サービスのメールの確認や削除の作業が容易である。【選択図】図１
2007304795.tif 000002
【特許請求の範囲】
【請求項１】
メールを受信すると、このメールが配信通知サービスのものであるか否かを判別する判別手段と、
前記判別手段により配信通知サービスのメールが判別されると、この配信通知サービスのメールを配信通知専用フォルダに記憶する手段とを備えることを特徴とする情報処理装置。
【請求項２】
前記配信通知専用フォルダ内のメールを削除する削除手段を備えることを特徴とする請求項１に記載の情報処理装置。
【請求項３】
前記判別手段により配信通知サービスのメールが判別されたときに配信通知専用フォルダが無ければ、配信通知専用フォルダを作成するフォルダ作成手段を備えることを特徴とする請求項１に記載の情報処理装置。
【請求項４】
メールを受信すると、このメールが配信通知サービスのものであるか否かを判別する判別ステップと、
前記判別ステップで配信通知サービスのメールが判別されると、この配信通知サービスのメールを配信通知専用フォルダに記憶するステップとを含む情報処理方法を実施するためのプログラムを記憶した情報処理装置。
【発明の詳細な説明】
【技術分野】
【０００１】
本発明は、メールを受信可能な情報処理装置に関する。
【背景技術】
【０００２】
周知の様に携帯電話機等の情報処理装置では、メールを送受信するだけではなく、多数のメールを格納保存しておくことが可能である。また、多数のメールを格納しておくだけでは、所望のメールを直ちに読み出すことが困難になるので、メールのアドレスや件名等を用いて、多数のメールを各フォルダに分類して格納することができる様にしたものがある。
【０００３】
また、特許文献１には、携帯端末で受信蓄積された広告情報を携帯端末からスムーズにかつ合理的に除去するための技術が開示されている。
【特許文献１】特開２００３−２８８２８９号公報
【発明の開示】
【発明が解決しようとする課題】
【０００４】
ところで、情報処理装置では、他の装置との間でメールを相互に送受信するだけではなく、サーバもしくはプロバイダーからの配信通知サービスのメールを受信することが多い。
【０００５】
しかしながら、従来は、メールのアドレスや件名等を用いて、メールの分類を行ったり、受信蓄積された広告情報をスムーズに除去することができても、配信通知サービスのメールをメッセージ等の通常のメールとは区別してはいなかったので、格納された多数のメールのうちから配信通知サービスのメールを探し出す必要があり、配信通知サービスのメールの確認や削除の作業が煩雑であった。
【０００６】
そこで、本発明は、上記従来の問題点に鑑みてなされたものであり、配信通知サービスのメールの確認や削除の作業が容易な情報処理装置を提供することを目的とする。
【課題を解決するための手段】
【０００７】
上記課題を解決するために、本発明の情報処理装置は、メールを受信すると、このメールが配信通知サービスのものであるか否かを判別する判別手段と、前記判別手段により配信通知サービスのメールが判別されると、この配信通知サービスのメールを配信通知専用フォルダに記憶する手段とを備えている。
【０００８】
また、前記配信通知専用フォルダ内のメールを削除する削除手段を備えている。
【０００９】
更に、前記判別手段により配信通知サービスのメールが判別されたときに配信通知専用フォルダが無ければ、配信通知専用フォルダを作成するフォルダ作成手段を備えている。
【００１０】
次に、本発明の情報処理装置は、メールを受信すると、このメールが配信通知サービスのものであるか否かを判別する判別ステップと、前記判別ステップで配信通知サービスのメールが判別されると、この配信通知サービスのメールを配信通知専用フォルダに記憶するステップとを含む情報処理方法を実施するためのプログラムを記憶している。
【発明の効果】
【００１１】
この様な本発明の情報処理装置によれば、受信したメールが配信通知サービスのものであるか否かを判別し、配信通知サービスのメールであれば、この配信通知サービスのメールを配信通知専用フォルダに記憶している。従って、配信通知サービスのメールがメッセージ等のメールとは区別されて整理されることになり、配信通知専用フォルダを開くだけで、配信通知サービスのメールの全てを確認することができる。
【００１２】
また、配信通知専用フォルダ内のメールを削除する削除手段を備えているので、配信通知サービスのメールの削除を容易に行うことができる。
【００１３】
更に、配信通知サービスのメールが判別されたときに配信通知専用フォルダが無ければ、配信通知専用フォルダを作成するので、配信通知専用フォルダを作成するための操作を行う必要がない。
【発明を実施するための最良の形態】
【００１４】
以下、本発明の実施形態を添付図面を参照しつつ詳細に説明する。
【００１５】
図１は、本発明の情報処理装置の一実施形態である携帯電話機の構成を示すブロック図である。本実施形態の携帯電話機１は、無線回線により基地局に接続され、更に基地局から公衆通信回線網へと接続され、公衆通信回線網を通じて通信相手の他の携帯電話機との間で通話等を行ったり、通信回線網上のサーバ１０（もしくはプロバイダー）を介して通信相手の他の携帯電話機との間でメールの送受を行う。
【００１６】
この携帯電話機１は、各種の情報を表示する液晶表示装置等の表示部２と、複数の操作ボタン等からなる入力部３と、各種のプログラムを記憶したプログラムＲＯＭ４と、データを書き込んだり読み出したりすることが可能なデータ格納用メモリ（フラッシュメモリ等）５と、無線通信を行う通信部６と、携帯電話機１全体の制御を行うＣＰＵ（中央処理装置）７とを備えている。
【００１７】
発呼又は着呼に際しては、入力部３を操作して、発呼又は着呼を入力指示すると、これに応答してＣＰＵ７は、プログラムＲＯＭ４及びデータ格納用メモリ５から発呼又は着呼に必要なプログラム及びデータを読み出し、通信部６を通じて通信プロトコルを実行し、発呼又は着呼の動作を行う。これにより、携帯電話機１と通話相手の他の携帯電話機との間で通話が可能になる。
【００１８】
また、メールの送受信に際しては、ＣＰＵ７は、プログラムＲＯＭ４及びデータ格納用メモリ５からメールの送受信に必要なプログラム及びデータを読み出し、通信部６を通じて通信プロトコルを実行し、メールの送受信動作を行う。これにより、携帯電話機１からメールが送信されて、このメールがサーバ１０に一時的に保管される。サーバ１０は、このメールを宛先の他の携帯電話機に送信する。また、サーバ１０からのメールを通信部６で受信して、この受信したメールをデータ格納用メモリ５に記憶する。このとき、入力部３を操作して、メールの表示を入力指示すると、これに応答してＣＰＵ７は、メールをデータ格納用メモリ５から読み出して、このメールを表示部２に表示する。これにより、ユーザが受信したメールを確認することができる。
【００１９】
ところで、この様な携帯電話機１では、他の装置との間でメッセージ等の通常のメールを相互に送受信するだけではなく、サーバ１０からの配信通知サービスのメールを受信することが多く、仮に、通常のメールと配信通知サービスのメールとを区別しなければ、配信通知サービスのメールの確認や削除の作業が煩雑になる。
【００２０】
そこで、本実施形態の携帯電話機１では、配信通知サービスのメールを通常のメールとは区別して格納している。このために、携帯電話機１のデータ格納用メモリ５内には、メッセージ、音楽、画像等を含む通常のメールを格納するためのメッセージフォルダ５ａ、５ｂと、配信通知サービスのメールを格納するための配信通知フォルダ５ｃとを設け、またＣＰＵ７には、配信通知サービスのメールを通常のメールとは区別して検出するための配信通知ログ検出部７ａを設けている。そして、ＣＰＵ７の配信通知ログ検出部７ａにより配信通知サービスのメール又は通常のメールを判定して検出し、この配信通知サービスのメールを配信通知フォルダ５ｃに格納し、また通常のメールをメッセージフォルダ５ａ、５ｂに格納している。
【００２１】
ここで、配信通知サービスのメールであるか、通常のメールであるかの判定は、例えばメールのメッセージ情報（ヘッダー情報）を解析することにより行われる。
【００２２】
図２は、配信通知サービスのメールのメッセージ情報の構造を例示している。図２に示す様にメッセージ情報Ｄは、メッセージタイプ、メッセージバージョン、メッセージＩＤ、送信先メールアドレス、日時、及びステータスという各要素を含んでいる。
【００２３】
また。通常のメールのメッセージ情報は、その構造が配信通知サービスのメールのものとは異なり、送信元メールアドレス等をも含んでいるが、配信通知サービスのメールと同様に、メッセージタイプを含んでいる。
【００２４】
この様なメッセージ情報の各要素のうちのメッセージタイプは、その値が配信通知サービスのメールと通常のメールとの間で異なる。例えば、配信通知サービスのメールでは、メッセージ情報のメッセージタイプの値が「０１」であり、また通常のメールでは、メッセージ情報のメッセージタイプの値が「０２」である。
【００２５】
ＣＰＵ７の配信通知ログ検出部７ａは、メッセージ情報のメッセージタイプの値を参照して、メッセージタイプの値が「０１」であれば、配信通知サービスのメールであると判定し、またメッセージタイプの値が「０２」であれば、通常のメールであると判定する。
【００２６】
また、ＣＰＵ７には、配信通知フォルダ５ｃを作成するための配信通知フォルダ作成部７ｂを設けている。配信通知フォルダ作成部７ｂは、配信通知サービスのメールが初めて受信されたときに配信通知フォルダ５ｃを作成する。従って、配信通知サービスのメールを初めて受信するまでは、配信通知フォルダ５ｃが存在しない。
【００２７】
更に、ＣＰＵ７には、各フォルダ５ａ、５ｂ、５ｃに格納されたメールを削除するためのメール削除部７ｃを設けている。
【００２８】
この様な配信通知ログ検出部７ａ、配信通知フォルダ作成部７ｂ、及びメール削除部７ｃは、ＣＰＵ７により、プログラムＲＯＭ４及びデータ格納用メモリ５から必要なプログラム及びデータを読み出して、プログラムを実行することにより具現化される。
【００２９】
図３は、受信したメールをフォルダに保管するときの処理手順を示すフローチャートである。次に、このフローチャートを参照しつつ、その処理手順を説明する。
【００３０】
まず、携帯電話機１では、メールを通信部６で受信すると、このメールをバッファメモリ等に記憶する（ステップＳ２１）。ＣＰＵ７の配信通知ログ検出部７ａは、このメールのメッセージ情報を解析し、メッセージ情報のメッセージタイプの値を参照して、メッセージタイプの値が「０１」及び「０２」のいずれであるかを判定する（ステップＳ２２）。
【００３１】
そして、メッセージタイプの値が「０２」であれば、メールが通常のものであることから（ステップＳ２２で「Ｎｏ」）、ＣＰＵ７は、この通常のメールをデータ格納用メモリ５内の各メッセージフォルダ５ａ、５ｂのいずれかに格納する（ステップＳ２３）。
【００３２】
また、メッセージタイプの値が「０１」であれば、メールが配信通知サービスのものなので（ステップＳ２２で「Ｙｅｓ」）、ＣＰＵ７は、データ格納用メモリ５内の配信通知フォルダ５ｃが既に作成されているか否かを判定する（ステップＳ２４）。このとき、配信通知フォルダ５ｃが未だに作成されていなければ（ステップＳ２４で「Ｎｏ」）、ＣＰＵ７の配信通知フォルダ作成部７ｂは、配信通知フォルダ５ｃをデータ格納用メモリ５内に作成する（ステップＳ２５）。この後、ＣＰＵ７は、配信通知サービスのメールをデータ格納用メモリ５内の配信通知フォルダ５ｃに格納する（ステップＳ２６）。
【００３３】
また、配信通知フォルダ５ｃが既に作成されていれば（ステップＳ２４で「Ｙｅｓ」）、ＣＰＵ７は、配信通知サービスのメールをデータ格納用メモリ５内の配信通知フォルダ５ｃに格納する（ステップＳ２６）。
【００３４】
こうして通常のメールが各メッセージフォルダ５ａ、５ｂに格納され、また配信通知サービスのメールが配信通知フォルダ５ｃに格納される。
【００３５】
一方、入力部３を操作して、受信ボックス（メールを格納するためのフォルダ）の表示を入力指示すると、これに応答してＣＰＵ７は、データ格納用メモリ５内に設定されているメールのフォルダを表示部２に一覧表示する。
【００３６】
例えば、配信通知フォルダ５ｃが作成されておらず、各メッセージフォルダ５ａ、５ｂだけがデータ格納用メモリ５内に設定されている場合は、ＣＰＵ７は、図４（ａ）に示す様に各メッセージフォルダ５ａ、５ｂのチェックボックス５ｄ、５ｅと名称を表示部２の画面２ａに表示する。この状態で、例えば入力部３を操作して、メッセージフォルダ５ａのチェックボックス５ｄを選択してチェックし、その上で、メールの一覧表示を入力指示すると、これに応答してＣＰＵ７は、メッセージフォルダ５ａ内のメール全てを検索し、メール全ての件名等を表示部２の画面２ａに一覧表示する。更に、入力部３を操作して、所望のメールの表示を入力指示すると、これに応答してＣＰＵ７は、このメールの内容をメッセージフォルダ５ａから読み出して、このメールの内容を表示部２の画面２ａに表示する。また、入力部３を操作して、所望のメール又は全メールの一括削除を入力指示すると、これに応答してＣＰＵ７のメール削除部７ｃは、メッセージフォルダ５ａ内の所望のメールを消去したり、全メールを一括して消去する。
【００３７】
また、配信通知フォルダ５ｃが既に作成されている場合は、ＣＰＵ７は、図４（ｂ）に示す様に各メッセージフォルダ５ａ、５ｂのチェックボックス５ｄ、５ｅと名称及び配信通知フォルダ５ｃのチェックボックス５ｆと名称を表示部２の画面２ａに表示する。この状態で、例えば入力部３を操作して、配信通知フォルダ５ｃのチェックボックス５ｆを選択してチェックし、その上で、メールの一覧表示を入力指示すると、これに応答してＣＰＵ７は、配信通知フォルダ５ｃ内のメール全てを検索し、メール全ての件名等を表示部２の画面２ａに一覧表示する。更に、入力部３を操作して、所望のメールを選択指示すると、これに応答してＣＰＵ７は、このメールの内容を配信通知フォルダ５ｃから読み出して、このメールの内容を表示部２の画面２ａに表示する。また、入力部３を操作して、所望のメール又は全メールの削除を入力指示すると、これに応答してＣＰＵ７のメール削除部７ｃは、配信通知フォルダ５ｃ内の所望のメールを消去したり、全メールを一括して消去する。
【００３８】
この様に本実施形態では、受信したメールがメッセージ、音楽、画像等を含む通常のメールであれば、この通常のメールを各メッセージフォルダ５ａ、５ｂに格納し、また受信したメールがサーバ１０（もしくはプロバイダー）からの配信通知サービスのメールであれば、この配信通知サービスのメールを配信通知フォルダ５ｃに格納し、それらのフォルダ別に、メールの表示を行ったり、メールの削除もしくは一括削除を行うことができる。このため、配信通知サービスのメールの確認や削除の作業が容易である。
【００３９】
尚、本発明は、上記実施形態に限定されるものではなく、多様に変形することができる。例えば、本発明は、携帯電話機とは異なる他の種類の情報処理装置に適用することができる。
【図面の簡単な説明】
【００４０】
【図１】本発明の情報処理装置の一実施形態である携帯電話機の構成を示すブロック図である。
【図２】配信通知サービスのメールのメッセージ情報の構造を例示する図である。
【図３】図１の装置における受信したメールをフォルダに保管するときの処理手順を示すフローチャートである。
【図４】（ａ）は配信通知フォルダが作成されておらず、メッセージフォルダだけが設定されているときの受信ボックスの表示画面を示す図であり、（ｂ）は配信通知フォルダが作成されているときの受信ボックスの表示画面を示す図である。
【符号の説明】
【００４１】
１  携帯電話機
２  表示部
３  入力部
４  プログラムＲＯＭ
５  データ格納用メモリ
５ａ、５ｂ  メッセージフォルダ
５ｃ  配信通知フォルダ
６  通信部
７  ＣＰＵ
７ａ  配信通知ログ検出部
７ｂ  配信通知フォルダ作成部
７ｃ  メール削除部
【図１】
2007304795.tif 000003
【図２】
2007304795.tif 000004
【図３】
2007304795.tif 000005
【図４】
2007304795.tif 000006